(57)【要約】【課題】ヒートシンクのフィンに埃が溜まる事態を防止することができ、且つ器具の組立作業を容易に行うことができる照明器具を提供する。【解決手段】照明器具は、光を発光する光源部材と、光源部材が取り付けられたヒートシンクと、を備えている。ヒートシンクは、光源部材が取り付けられるベース部と、ベース部に下端面が接続され、ベース部から上方に向かって立ち上がるフィンと、フィンの上端面に接続され、フィンの上面を覆う庇部と、を有している。【選択図】図２
2020184456.tif 000002
【特許請求の範囲】
【請求項１】
光を発光する光源部材と、前記光源部材が取り付けられたヒートシンクと、を備えた照明器具であって、
前記ヒートシンクは、
前記光源部材が取り付けられるベース部と、
前記ベース部に下端面が接続され、前記ベース部から上方に向かって立ち上がるフィンと、
前記フィンの上端面に接続され、前記フィンの上面を覆う庇部と、を有している照明器具。
【請求項２】
前記フィンは、下端面が前記ベース部に一体的に接続され、前記ベース部から立ち上がる複数の板部を、間隔をあけて並列させて設けた構成であり、
少なくとも一部の前記板部は、上端面が前記庇部に一体的に接続されている請求項１に記載の照明器具。
【請求項３】
前記フィンは、
中心に設けられた筒部と、
前記筒部の外周から放射状に突き出した複数の板部と、を有し、
少なくとも一部の前記板部は、下端面が前記ベース部に接合されて接続され、
少なくとも一部の前記板部は、上端面が前記庇部に接合されて接続されている請求項１に記載の照明器具。
【請求項４】
前記光源部材に電力を供給する電源ユニットを、更に有しており、
前記庇部には、前記電源ユニットを着脱自在に取り付けるための係合部が設けられている請求項１〜３のいずれか一項に記載の照明器具。
【請求項５】
前記電源ユニットには、前記係合部に係合する電源脚部が設けられている請求項４に記載の照明器具。
【発明の詳細な説明】
【技術分野】
【０００１】
本発明は、天井等の被取付部に取り付けられる照明器具に関するものである。
【背景技術】
【０００２】
従来、照明器具は、光を発光する光源ユニットからの発熱を放熱させるヒートシンクを備えた構成が知られている。例えば特許文献１に開示された照明装置は、電源ケースと、ＬＥＤと、電源基板と、透光カバーと、アームと、を備えた構成である。電源ケースは、電源基板を収納する収納部と、下面側にＬＥＤを載置させる載置部と、を有している。載置部の上面には、ヒートシンクとして複数のフィンが上方向に突出するように設けられている。
【先行技術文献】
【特許文献】
【０００３】
【特許文献１】特開２０１８−１４２３２号公報
【発明の概要】
【発明が解決しようとする課題】
【０００４】
特許文献１に開示された照明装置は、フィンの上面を覆う部材が存在しないので、長期使用によって、フィンとフィンとの間に埃が溜まり、放熱機能が低下するおそれがある。フィンとフィンとの間に溜まる埃を防止するために、フィンの上面を覆う庇を設けることが考えられる。しかし、この場合、ヒートシンクとは別に庇を保持する柱部材等の保持部材等を設ける必要があり、部材点数及び加工の手間が増えて、装置の組立作業が複雑となる。なお、特許文献１には、電源ケースに庇部が設けられているが、フィンの上面を覆う構成ではないので、長期使用によってフィンとフィンとの間に埃が溜まる。
【０００５】
本発明は、上記のような課題を解決するためになされたもので、器具の組立作業を容易に行うことができる、照明器具を提供することを目的とする。
【課題を解決するための手段】
【０００６】
本発明に係る照明器具は、光を発光する光源部材と、前記光源部材が取り付けられたヒートシンクと、を備えた照明器具であって、前記ヒートシンクは、前記光源部材が取り付けられるベース部と、前記ベース部に下端面が接続され、前記ベース部から上方に向かって立ち上がるフィンと、前記フィンの上端面に接続され、前記フィンの上面を覆う庇部と、を有しているものである。
【発明の効果】
【０００７】
本発明の照明器具によれば、庇部がフィンの上端面に接続されただけの簡易な構成であり、庇部を取り付けるための特別な構成部材を設ける必要がないので、器具の組立作業を容易に行うことができる。
【図面の簡単な説明】
【０００８】
【図１】実施の形態１に係る照明器具を示した斜視図である。
【図２】実施の形態１に係る照明器具であって、上方側から見た状態を示した分解斜視図である。
【図３】実施の形態１に係る照明器具であって、下方側から見た状態を示した分解斜視図である。
【図４】実施の形態１に係る照明器具であって、電源ユニットとヒートシンクを示した斜視図である。
【図５】実施の形態１に係る照明器具であって、電源ユニットとヒートシンクを示した正面図である。
【図６】実施の形態２に係る照明器具を示した斜視図である。
【図７】実施の形態２に係る照明器具を示した分解斜視図である。
【図８】実施の形態２に係る照明器具のヒートシンクを示した分解斜視図である。
【図９】実施の形態２に係る照明器具のヒートシンクを構成するフィンの平面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
図１は、実施の形態１に係る照明器具を示した斜視図である。図２は、実施の形態１に係る照明器具であって、上方側から見た状態を示した分解斜視図である。図３は、実施の形態１に係る照明器具であって、下方側から見た状態を示した分解斜視図である。図４は、実施の形態１に係る照明器具であって、電源ユニットとヒートシンクを示した斜視図である。図５は、実施の形態１に係る照明器具であって、電源ユニットとヒートシンクを示した正面図である。
【００１１】
本実施の形態１に係る照明器具１００は、図１〜図３に示すように、天井等の被取付部に取り付けられる支持部１と、支持部１に保持される光源ユニット５と、を備えている。支持部１は、被取付部に取り付けられるアーム部材２と、アーム部材２を光源ユニット５へ接続する保持部材３と、照明器具１００の落下防止部材４と、を有している。光源ユニット５は、光を発光する光源部材６と、直方体形状のヒートシンク７と、光源部材６に電力を供給する電源ユニット８と、光源部材６を覆うカバー部材９と、を有している。
【００１２】
アーム部材２は、図１〜図３に示すように、照明器具１００を天井等の被取付部に取り付けるための取付部材である。アーム部材２は、逆Ｕ字形状である。アーム部材２の両端部には、軸孔２０と弧状孔２１とが上下に並べて形成されている。アーム部材２は、両端部が保持部材３を介して軸孔２０に通したボルト２２及び弧状孔２１に通したボルト２３によって、ヒートシンク７の側面に回動自在に取り付けられている。
【００１３】
保持部材３は、図１〜図３に示すように、アーム部材２をヒートシンク７に回動自在に取り付けるために設けられている。保持部材３は、ヒートシンク７の側面に当接する矩形状の平板部３０と、平板部３０の上端部から突き出してヒートシンク７の上面に当接する上部取付部３１と、平板部３０の下端部から突き出してヒートシンク７の下面に当接する下部取付部３２と、を有している。平板部３０には、ボルト２２の軸部を通す貫通孔３４と、ボルト２３の軸部を通す貫通孔３５が形成されている。また、平板部３０の内面側には、ボルト２２及びボルト２３を締め付けるナット３３が取り付けられている。上部取付部３１には、ネジ等の接続部材を通す貫通穴が形成されている。上部取付部３１は、接続部材によってヒートシンク７の上面に固定される。また、下部取付部３２には、ネジ等の接続部材を通す貫通穴が形成されている。下部取付部３２は、接続部材によってヒートシンク７の下面に固定される。なお、下部取付部３２は、カバー部材９のフランジ部９０をヒートシンク７の下面とで挟み付けて、カバー部材９が落下しないように保持する機能も有する。
【００１４】
落下防止部材４は、図１〜図３に示すように、照明器具１００の落下を防止するために設けられている。落下防止部材４は、ワイヤー４０と、ワイヤー４０の一端に設けられて被取付部に固定される第１取付部４１と、ワイヤー４０の他端に設けられてヒートシンク７に取り付けられる第２取付部４２と、を有している。
【００１５】
光源部材６は、図２及び図３に示すように、基板６０に複数の発光素子６１が実装された構成である。光源部材６は、ヒートシンク７の下面に接着等で取り付けられ、電源ユニット８から電力の供給を受けて発光素子６１を発光させるものである。
【００１６】
ヒートシンク７は、図１〜図５に示すように、光源部材６の発熱を放熱させるものである。ヒートシンク７は、光源部材６が取り付けられるベース部７０と、ベース部７０に下端面が接続され、ベース部７０から上方に向かって立ち上がるフィン７２と、フィン７２の上端面に接続され、フィン７２の上面を覆う庇部７１と、を有している。ベース部７０は、ヒートシンク７の下面を形成している。庇部７１は、ヒートシンク７の上面を形成している。ヒートシンク７は、例えばアルミ材等の放熱性の良い材料が用いられており、押出成型で略直方体形状に形成されている。
【００１７】
フィン７２は、下端面がベース部７０に一体的に接続され、ベース部７０から上方に立ち上がる複数の板部７２ａを、一定の間隔をあけて並列させて設けた構成である。板部７２ａは、上端面が庇部７１に一体的に接続されている。板部７２ａは、ベース部７０及び庇部７１に対して直交させて設けられているが、当該直交に限定されず、ベース部７０及び庇部７１と交差する角度であればよい。なお、図示することは省略したが、フィン７２は、一部の板部７２ａの上端面のみが、庇部７１に一体的に接続された構成でもよい。
【００１８】
複数の板部７２ａのうち、ヒートシンク７の側面を形成する両端の板部７２ａには、保持部材３のナット３３と、ボルト２２及びボルト２３との干渉を防ぐ貫通孔７ａが形成されている。なお、貫通孔７ａは、ボルト２２及びボルト２３の軸部をねじ込むネジ孔としてもよい。この場合、ナット３３は、省略することができる。また、板部７２ａは、ネジ孔を形成する部分のみを肉厚とした構成でもよい。因みに、板部７２ａと、ナット３３とボルト２２及びボルト２３との干渉を防ぐ手段としては、貫通孔７ａに限定されず、例えばナット３３とボルト２２及びボルト２３が嵌まる溝形状でもよい。溝形状は、貫通孔７ａを形成する場合と異なり、ヒートシンク７を成型する際の押出成型で一緒に形成することができる。そのため、ヒートシンク７の加工の手数を減らすことができるので、製造コストを抑制できる。
【００１９】
上記したように、ヒートシンク７は、フィン７２とベース部７０及び庇部７１とが、一体的に接続されているので、ベース部７０から伝熱される光源部材６の発熱を、フィン７２から庇部７１へと伝熱させて、フィン７２と庇部７１とで放熱することができる。そのため、本実施の形態１におけるヒートシンク７は、例えばフィン７２を構成する板部７２ａの枚数を少なくして軽量化を図ることができ、且つ伝熱面積が大きく放熱効率を高めることができる。
【００２０】
庇部７１には、中央部分において、一端縁側から他端縁側まで延びる凹部７１ａが形成されている。凹部７１ａには、電源ユニット８が着脱自在に取り付けられる係合部７３が設けられている。係合部７３は、外向きに屈曲させた１対のＬ字の爪部７３ａであり、凹部７１ａの長手方向に沿ってレール状に形成されている。また、図４に示すように、凹部７１ａの一端縁側には、光源部材６と電源ユニット８とを接続し、光源部材６に電力を供給する電源電線８４が嵌め込まれる切り欠き状の保持部７１ｂが形成されている。
【００２１】
電源ユニット８は、光源部材６に電力を供給するものである。電源ユニット８は、図１〜図５に示すように、筒状で直方体形状の電源ケース８０と、電源ケース８０の内側に設けられた点灯回路部（図示なし）と、電源ケース８０の両端の開口を塞ぐ端板８１と、を有している。電源ケース８０の下面には、ヒートシンク７に形成された係合部７３に係合する電源脚部８３が設けられている。電源脚部８３は、内向きに屈曲させた１対のＬ字の爪部８３ａであり、電源ケース８０の長手方向に沿ってレール状に形成されている。また、端板８１は、例えば板金で形成されており、パッキンを挟んで電源ケース８０に取り付けられている。また、２つの端板８１のうち、一方の端板８１には、点灯回路部に接続される電源電線８４を電源ケース８０の内部に通すための開口が形成されており、該開口部分に電源電線８４を保持するソケット８２が設けられている。
【００２２】
電源ユニット８は、庇部７１の凹部７１ａの一端側から係合部７３に電源脚部８３が挿し込まれ、他端側に向かってスライドさせることで、ヒートシンク７に取り付けることができる。そして、電源ユニット８は、スライドさせた方向への位置ずれを防止するため、電源ケース８０がヒートシンク７にネジなどの接合部材８５で固定されている。照明器具１００は、電源ユニット８をヒートシンク７と一体になるように取り付けることで、電源ユニット８の発熱をヒートシンク７に伝熱することができるので、電源ユニット８の温度上昇を抑制することができる。なお、係合部７３の向きと、電源脚部８３の爪部８３ａの向きは、逆でもよい。また、係合部７３の爪部７３ａと電源脚部８３の爪部８３ａとは、スライドさせて係合させる構成に限定されず、弾性変形を利用して押し込むように係合させる構成でもよい。
【００２３】
カバー部材９は、光源部材６と対向する側に開口を有する箱形であり、ヒートシンク７のベース部７０に取り付けられた光源部材６を覆って保護するものである。カバー部材９は、例えば透過性のある材料で形成されている。カバー部材９には、開口縁に沿って外方に突き出すフランジ部９０が設けられている。フランジ部９０には、ネジ等の接合部材９１の軸部を通す貫通孔９０ａが複数形成されている。カバー部材９は、フランジ部９０をヒートシンク７のベース部７０に当接させ、貫通孔９０ａに通した接合部材９１を用いてヒートシンク７に取り付けられている。
【００２４】
なお、図示することは省略したが、カバー部材９は、内側にレンズユニット又はリフレクタを設けた構成としてもよい。カバー部材９の内側にレンズユニットを設ける場合には、光源部材６をレンズユニットと一体化した後に、カバー部材９をヒートシンク７に固定するとよい。これにより、発光素子６１とレンズユニットとの位置ずれを抑制でき、組立作業を容易に行うことができる。
【００２５】
以上のように、本実施の形態１に係る照明器具１００は、光を発光する光源部材６と、光源部材６が取り付けられたヒートシンク７と、を備えている。ヒートシンク７は、光源部材６が取り付けられるベース部７０と、ベース部７０に下端面が接続され、ベース部７０から上方に向かって立ち上がるフィン７２と、フィン７２の上端面に接続され、フィン７２の上面を覆う庇部７１と、を有している。よって、照明器具１００は、庇部７１でフィン７２の上面を覆っているので、フィン７２に埃が溜まる事態を防止することができる。また、庇部７１がフィン７２の上端面に接続されただけの簡易な構成であり、庇部７１を取り付けるための特別な構成部材を設ける必要がないので、器具の組立作業を容易に行うことができる。
【００２６】
フィン７２は、下端面がベース部７０に一体的に接続され、ベース部７０から立ち上がる複数の板部７２ａを、間隔をあけて並列させて設けた構成である。そして、少なくとも一部の板部７２ａは、上端面が庇部７１に一体的に接続されている。よって、照明器具１００は、庇部７１を有するヒートシンク７を例えば押出成型品として一体的に製造することができるので、構成部品を簡略化することができ、組立作業を容易に行うことができる。また、庇部７１を取り付けるために、フィン７２に曲げ加工又は穴加工を行う必要もないので、加工に手間が掛かることがなく、製造コストを抑制することができる。
【００２７】
また、ヒートシンク７は、フィン７２とベース部７０及び庇部７１とが、一体的に接続されているので、ベース部７０から伝熱される光源部材６の発熱を、フィン７２から庇部７１へと伝熱させて、フィン７２と庇部７１とで放熱することができる。よって、照明器具１００は、フィン７２を構成する板部７２ａの枚数を少なくしてヒートシンク７の軽量化を図ることができ、且つ伝熱面積が大きく放熱効率を高めることができる。
【００２８】
また、本実施の形態１に係る照明器具１００は、光源部材６に電力を供給する電源ユニット８を有している。庇部７１には、電源ユニット８を着脱自在に取り付けるための係合部７３が設けられている。一方、電源ユニット８には、係合部７３に係合する電源脚部８３が設けられている。よって、照明器具１００は、必要に応じてヒートシンク７から電源ユニット８を容易に着脱させることができるので、使い勝手に優れている。
【００２９】
実施の形態２．
次に、本実施の形態２に係る照明器具を図６〜図９に基づいて説明する。図６は、実施の形態２に係る照明器具を示した斜視図である。図７は、実施の形態２に係る照明器具を示した分解斜視図である。図８は、実施の形態２に係る照明器具のヒートシンクを示した分解斜視図である。図９は、実施の形態２に係る照明器具のヒートシンクを構成するフィンの平面図である。なお、実施の形態１で説明した照明器具と同一の構成要素については、同一の符号を付して、その説明を適宜省略する。
【００３０】
本実施の形態２に係る照明器具１０１は、図６及び図７に示すように、天井等の被取付部に取り付けられる支持部１と、支持部１に保持される光源ユニット５と、を備えている。支持部１は、被取付部に取り付けられるアーム部材２と、アーム部材２を光源ユニット５へ接続する保持部材３と、照明器具１０１の落下防止部材４と、を有している。光源ユニット５は、光を発光する光源部材６と、直方体形状のヒートシンク７と、光源部材６に電力を供給する電源ユニット８と、光源部材６を覆うカバー部材９と、を有している。
【００３１】
本実施の形態２の照明器具１０１は、ヒートシンク７の構成が実施の形態１の照明器具１００と異なる。本実施の形態２の照明器具１０１のヒートシンク７は、図８及び図９に示すように、光源部材６が取り付けられる平板状のベース部７４と、ベース部７４に下端面が接続され、ベース部７４から上方に向かって立ち上がるフィン７６と、フィン７６の上端面に接続され、フィン７６の上面を覆う庇部７５と、を有している。
【００３２】
ベース部７４、庇部７５及びフィン７６は、例えばアルミ材等の放熱性の良い材料で形成されている。ベース部７４は、四角形状であり、図９に示すように、ピン又はネジ等の接合部材７７を通すための貫通孔７４ａが複数形成されている。同様に、庇部７５も、四角形状であり、ピン又はネジ等の接合部材７８を通すための貫通孔７５ａが複数形成されている。
【００３３】
フィン７６は、図８及び図９に示すように、中心に設けられた筒部７６ａと、筒部７６ａの外周から放射状に突き出した複数枚の板部７６ｂと、を有している。筒部７６ａは、円筒であるが、例えば角筒など、中空状で有ればよい。また、板部７６ｂの枚数は、図示した１２枚に限定されない。本実施の形態２におけるフィン７６は、押出成型で形成されたものである。フィン７６は、押し出し材を必要となる長さに切断して形成される。フィン７６は、切断面がベース部７４及び庇部７５に接続される端面となる。つまり、フィン７６は、すべての板部７６ｂの上下方向の長さを均一にすることができるので、すべての板部７６ｂの端面をベース部７４及び庇部７５に均一に当接させることができる。
【００３４】
複数枚の板部７６ｂのうち一部の板部７６ｂには、上端面がベース部７４に接合されて接続され、下端面が庇部７５に接合されて接続されている。具体的には、複数の板部７６ｂのうち一部の板部７６ｂには、接合部材７７及び接合部材７８を挿入するための受け部７９が形成されている。ヒートシンク７は、フィン７６の下端面にベース部７４を当接させ、接合部材７７を貫通孔７４ａと受け部７９に挿入し、フィン７６の上端面に庇部７５を当接させ、接合部材７８を貫通孔７５ａと受け部７９に挿入して形成されている。
【００３５】
なお、本実施の形態２に係る照明器具１０１は、図６及び図７に示すように、電源ユニット８がヒートシンク７の庇部７５の上面に載置されて、接合部材８５で接合された構成を示しているが、実施の形態１で説明したように、庇部７５に電源ユニット８を着脱自在に取り付けるための係合部７３を設け、電源ユニット８に係合部７３に係合する電源脚部８３を設けた構成としてもよい。
【００３６】
以上のように、本実施の形態２の照明器具１０１は、庇部７５でフィン７６の上面を覆っているので、長期使用によってフィン７６に埃が溜まる事態を防止することができる。また、庇部７５がフィン７６の上端面に接続されただけの簡易な構成であり、庇部７５を取り付けるための特別な構成部材を設ける必要がないので、組立作業を容易に行うことができる。また、フィン７６とベース部７４及び庇部７５とを均一に当接させることができるので、ベース部７４及び庇部７５と当接する端面での放熱性能を向上させることができる。
【００３７】
以上に実施の形態に基づいて照明器具１００及び１０１を説明したが、照明器具１００及び１０１は上述した実施の形態の構成に限定されるものではない。例えば、照明器具１００及び照明器具１０１は、天井以外の被取付部に取り付けてもよい。また、図示した照明器具１００及び照明器具１０１は、一例であって、他の構成要素を含んでもよい。また、フィン７２及びフィン７６の構成は、図示した形態に限定されず、他の形態でもよい。また、庇部７１に設けた係合部７３は、必ずしも設ける必要はなく、省略してもよい。また、電源ユニット８に設けた電源脚部８３を省略し、庇部７１の係合部７３のみで、電源ユニット８を着脱自在に構成してもよい。要するに、照明器具１００及び１０１は、その技術的思想を逸脱しない範囲において、当業者が通常に行う設計変更及び応用のバリエーションの範囲を含むものである。
【符号の説明】
【００３８】
１  支持部、２  アーム部材、３  保持部材、４  落下防止部材、５  光源ユニット、６  光源部材、７  ヒートシンク、７ａ  貫通孔、８  電源ユニット、９  カバー部材、２０  軸孔、２１  弧状孔、２２、２３  ボルト、３０  平板部、３１  上部取付部、３２  下部取付部、３３  ナット、３４、３５  貫通孔、４０  ワイヤー、４１  第１取付部、４２  第２取付部、６０  基板、６１  発光素子、７０  ベース部、７１  庇部、７１ａ  凹部、７１ｂ  保持部、７２  フィン、７２ａ  板部、７３  係合部、７３ａ  爪部、７４  ベース部、７４ａ  貫通孔、７５  庇部、７５ａ  貫通孔、７６  フィン、７６ａ  筒部、７６ｂ  板部、７７、７８  接合部材、７９  受け部、８０  電源ケース、８１  端板、８２  ソケット、８３  電源脚部、８３ａ  爪部、８４  電源電線、８５  接合部材、９０  フランジ部、９０ａ  貫通孔、９１  接合部材、１００、１０１  照明器具。
【図１】
2020184456.tif 000003
【図２】
2020184456.tif 000004
【図３】
2020184456.tif 000005
【図４】
2020184456.tif 000006
【図５】
2020184456.tif 000007
【図６】
2020184456.tif 000008
【図７】
2020184456.tif 000009
【図８】
2020184456.tif 000010
【図９】
2020184456.tif 000011